(57)【要約】【課題】  横方向からの荷重に対する靱性を高めることのできる手摺用支柱構造を提供すること。【解決手段】  軽合金から成る角筒状の支柱材と、この支柱材の内接して挿入された角筒状の補強鋼材と、この補強鋼材の下端外周に溶着された角柱状の補強部材とから構成されたので、手摺用支柱に横方向からの荷重が加わった場合に靱性を高めることができる。また、手摺用支柱を保持する躯体がひび割れを起こしても、容易に破壊することがない。【選択図】  図１
2006045842.tif 000002
【特許請求の範囲】
【請求項１】
軽合金から成る角筒状の支柱材と、
この支柱材の内接して挿入された角筒状の補強鋼材と、
この補強鋼材の下端外周に溶着された角柱状の補強部材とから構成されたことを特徴とする手摺用支柱構造。
【請求項２】
前記補強部材は、補強鋼材の対辺に一対配設されたことを特徴とする請求項１に記載の手摺用支柱構造。
【請求項３】
前記補強部材は、無垢の角柱材であることを特徴とする請求項１または２に記載の手摺用支柱構造。
【発明の詳細な説明】
【技術分野】
【０００１】
本発明は、ビル等の屋上階やベランダ等に取り付ける落下防止用の手摺用支柱構造に関するものである。
【背景技術】
【０００２】
一般に、ビルの屋上やベランダ等には落下防止用の手摺が設置されている。これらの手摺は、落下防止を目的とするために、主に横方向の荷重に対しての耐力が要求される。例えば、図７に示すようにコンクリート躯体１に埋め込んだ角パイプ状の補強鋼材２に横荷重Ｆを加えた場合、クラック３が発生していた。このクラック３は、補強鋼材２の両隅部から斜めに発生しており、補強鋼材２の幅にほぼ比例していた。また、補強鋼材２は、横荷重ｆに対する断面二次モーメントを増す為に長辺を荷重方向と平行となるように配設してある。
【０００３】
【特許文献１】特開２００２−２０１７８０号公報
【発明の開示】
【発明が解決しようとする課題】
【０００４】
しかし、従来の手摺用支柱構造では、コンクリート躯体１に対する剪断割れの長さが短く、コンクリートが割れてしまい、十分な耐力を期待することができなかった。
【課題を解決するための手段】
【０００５】
前記目的を達成するために、本発明は軽合金から成る角筒状の支柱材と、この支柱材の内接して挿入された角筒状の補強鋼材と、この補強鋼材の下端外周に溶着された角柱状の補強部材とから構成されたことを特徴としている。
【０００６】
また、本発明において、前記補強部材は、補強鋼材の対辺に一対配設されたことを特徴とするものである。
【０００７】
また、本発明において、前記補強部材は、無垢の角柱材であることを特徴とするものである。
【発明の効果】
【０００８】
この発明は前記した構成からなるので、以下に説明するような効果を奏することができる。
【０００９】
本発明は、軽合金から成る角筒状の支柱材と、この支柱材の内接して挿入された角筒状の補強鋼材と、この補強鋼材の下端外周に溶着された角柱状の補強部材とから構成されたので、手摺用支柱に横方向からの荷重が加わった場合に靱性を高めることができる。また、手摺用支柱を保持する躯体がひび割れを起こしても、容易に破壊することがない。
【００１０】
また、本発明において、前記補強部材は、補強鋼材の対辺に一対配設されたので、コンクリート割れの発生する部位の幅が長くなるとともに、ひび割れの長さも長くなるので、横荷重に対する耐力を向上することができる。また、支柱の曲げ剛性も向上することができる。
【００１１】
また、本発明において、前記補強部材は、無垢の角柱材であるので、手摺用支柱構造の剛性を一層向上することができる。
【発明を実施するための最良の形態】
【００１２】
本発明は、補強鋼材の下端外周に補強部材を溶着したので、横方向からの荷重に対して強い剛性とコンクリートの耐力を増すことのできる手摺用支柱構造を実現した。
【実施例１】
【００１３】
以下、一実施の形態を示す図面に基づいて本発明を詳細に説明する。図１は本発明に係る手摺用支柱構造の一例を示す一部を省略した縦断面図、図２は支柱材の横断面図、図３は補強鋼材の横断面図、図４は、手摺用支柱構造の下端部近傍を示す横断面図である。ここで、手摺用支柱構造１０は、軽合金から成る角筒状の支柱材１１と、この支柱材１１に内接して挿入された角筒状の補強鋼材１２と、この補強鋼材１２の下端外周に溶着された角柱状の補強部材１３とから構成されている。
【００１４】
支柱材１１は、軽合金である例えば、アルミニューム合金等から構成され頂部に笠木１４が取り付けられる。また、支柱材１１は、図２に示すように四隅内側にビス受け孔１５がそれぞれ形成されている。
【００１５】
補強鋼材１２は、図３等に示すように断面が角筒をしており、支柱材１１の内周に挿入可能な寸法となっている。長さは、支柱材１１の頭部から、コンクリート躯体内に埋設される寸法Ｌまでを含めたものとなっている。
【００１６】
補強部材１３は、図４、５等に示すように角柱状をしており、補強鋼材１２の下端外周に溶着されている。本実施例では、補強鋼材１２の長辺に１８０度の線対称に配設されている。補強部材１３は、無垢で手摺用支柱がコンクリート躯体内に埋設される寸法Ｌとほぼ等しい。尚、補強部材１３は、補強鋼材１２に溶接する代わりに、補強鋼材１２と一体形成してもよい。
【００１７】
次に、以上のように構成された本発明に係る手摺用支柱構造１０の施工手順について説明する。先ず、図１に示すようにコンクリート躯体１６に所定の穴１７を穿設する。穴１７の深さは、支柱の埋設寸法Ｌより深く形成する。下端に補強部材１３の溶着された補強鋼材１２と一体となった支柱材１１を挿入し、充填材１８を充填して固定する。このようにして、手摺用支柱構造１０をコンクリート躯体１６に取り付ける。支柱材１１の頭部には笠木受け１９がビス２０が固定され、この笠木受け１９に笠木２１が取り付けられて完成する。
【００１８】
実物大の加力実験によって補強部材１３を付加した事により、単なる見付面積の増加だけでなく、応力範囲が極めて広がるという現象を示した。図６、７から明らかなように角度θ２に比べてθ１は、遙かに大きく、その破断面積は数倍に達した。この事からこのように設置された手摺用支柱は、ベランダ側から外方向への荷重Ｆを受けた場合に、図６に示すようにクラック３が補強部材１３の角部から発生し、コンクリート躯体１６に対する耐力が著しく向上する。また、支柱自体の剛性が増すので従来の構成の手摺用支柱構造に比べてより大きな荷重に耐えることができる。
【図面の簡単な説明】
【００１９】
【図１】図１は、本発明に係る手摺用支柱構造の一例を示す一部を省略した縦断面図である。
【図２】図２は、同手摺用支柱構造に使用される支柱材を示す横断面図である。
【図３】図３は、同手摺用支柱構造に使用される補強鋼材を示す横断面図である。
【図４】図４は、同手摺用支柱構造の下端部近傍を示す横断面図である。
【図５】図５は、同手摺用支柱構造の下端部近傍を示す斜視図である。
【図６】図６は、同手摺用支柱構造による荷重試験のひび割れ状態を示す説明図である。
【図７】図７は、従来の手摺用支柱構造の一例による荷重試験のひび割れ状態を示す説明図である。
【符号の説明】
【００２０】
１０      手摺用支柱構造
１１      支柱材
１２      補強鋼材
１３      補強部材
１４      笠木
１５      ビス受け孔
１６      コンクリート躯体
１７      穴
１８      充填材
１９      笠木受け
２０      ビス
２１      笠木
【図１】
2006045842.tif 000003
【図２】
2006045842.tif 000004
【図３】
2006045842.tif 000005
【図４】
2006045842.tif 000006
【図５】
2006045842.tif 000007
【図６】
2006045842.tif 000008
【図７】
2006045842.tif 000009